(57)【要約】      （修正有）【課題】優れた審美性と耐久性とを備えると共に、眼鏡自身が備えている各種の調整機能を、利用者自らが極めて簡単に、且つ、確実に実行出来る眼鏡用フレームを提供する。【解決手段】金属薄板製眼鏡芯材１０は、中央のブリッジによって連設された左右の眼鏡レンズを嵌め込んだ左右のレンズ支持枠１１Ａ，１１Ｂと、これ等左右のレンズ支持枠１１Ａ，１１Ｂの外側縁に連設された左右のつる１１Ｃ，１１Ｄとによって、全体が眼鏡の骨格を成す形状に構成されており、また、表と裏の皮革製カバー体１Ｘと１Ｙは、いずれも上述した金属薄板製眼鏡芯材１０よりも、全体がひと回り大きな相似形状を成していて、表と裏のカバー体１Ｘ，１Ｙを、当該芯材１０の全体を表裏両側から挟み込む様にして接着剤にて接合するか、又は、縫い合わせる。【選択図】図４
2016184014.tif 000002
【特許請求の範囲】
【請求項１】
左右の眼鏡レンズを各々嵌め込んで支持するための嵌込穴が設けられた左右のレンズ支持枠と、これ等左右のレンズ支持枠に各々連設された左右のつるとが、一枚の金属板より成形された屈曲自在で、且つ、その屈曲状態を自己保持可能に構成した金属薄板製眼鏡芯材と、当該金属薄板製眼鏡芯材に対して、各部が相似形状に形成された表裏複数枚の天然の皮革製カバー体とによって構成されていて、
中間に前記金属薄板製眼鏡芯材を挟み込んだ状態にて、前記表裏複数枚の皮革製カバー体を、当該芯材の表裏両面側を覆う様に皮革同士を夫々一体的に貼り合わせ、又は、縫い合わせることによって、前記左右のレンズ支持枠と左右のつるとから成る金属薄板製眼鏡芯材の表裏の全面を、外側からは見えない様に前記天然の皮革製カバー体によって、表裏両側より挟み込んだ状態に被覆して成ることを特徴とする眼鏡用フレーム。
【請求項２】
前記表裏複数枚の皮革製カバー体の夫々が、薄く漉き加工された天然の皮革を、複数枚重ねて互いに接着、若しくは、縫着して成る複層構造に造られていることを特徴とする請求項１に記載の眼鏡用フレーム。
【請求項３】
前記金属薄板製眼鏡芯材を被覆するための天然の皮革として、タンニン鞣しや白鞣し、或いは、クロール鞣しといった、各種鞣し処理の内の、何れかの鞣し処理が施された皮革が用いられていることを特徴とする請求項１又は２に記載の眼鏡用フレーム。
【請求項４】
前記天然の皮革として、サメ革、牛革、鹿革、ワニ革、ヘビ革、或いは、オーストリッチといった各種動物類の皮革の内の、何れかの皮革が使用されていることを特徴とする請求項１、２又は３に記載の眼鏡用フレーム。
【請求項５】
前記左右の眼鏡レンズを嵌め込んで保持するために、前記左右のレンズ支持枠に設けた前記左右の嵌込穴の内周縁部分に、天然樹脂を塗り固めて形成したレンズ保持用の保持縁が設けられていることを特徴とする請求項１に記載の眼鏡用フレーム。
【請求項６】
前記表裏複数枚の皮革製カバー体を貼り合わせるための接着剤、並びに、当該皮革製カバー体自身を構成するために、薄く漉き加工した天然の皮革を重ねて接着するための接着剤として、漆や膠といった接着剤を含む、天然の各種接着剤が使用されていることを特徴とする請求項１及び２に記載の眼鏡用フレーム。
【請求項７】
前記左右のつるの、前記眼鏡フレーム体に近接した左右の根元近くに、左右のつる自身を、各々皮革製カバー体に対して自由に屈曲及び伸縮動作回動することを可能にする、断面略Ｕ字形状を成す屈曲部を設けると共に、前記表裏の皮革体の間に介在されている金属薄板製眼鏡芯材の部分を、これ等両屈曲部の内部に於いて夫々分断せしめたことを特徴とする請求項１に記載の眼鏡用フレーム。
【発明の詳細な説明】
【技術分野】
【０００１】
本発明は、眼鏡を構成するフレームとつるの各部を、天然の皮革を用いて一体的に挟み込んだ（包み込んだ）状態に被覆することによって、全体として肌触りが良好で、外観上は、眼鏡レンズを除くフレーム体と左右のつるの全てが、各種動物類の皮革で被覆されていて、眼鏡全体として極めて豪華で、而も、個性的なな印象を与えることができるように工夫した、眼鏡用フレームに関するものである。
【背景技術】
【０００２】
眼鏡のフレームとつるの外周部分の全体に、天然の皮革を被着せしめた構成の眼鏡として、従来より下記文献に記載の眼鏡枠が既に存在している。
【先行技術文献】
【特許文献】
【０００３】
実開昭５６−９９５２３号公報
【発明の概要】
【発明が解決しようとする課題】
【０００４】
然しながら、上記従来の眼鏡枠は、既に眼鏡として造られている立体物としてのフレームと、左右のつるの夫々の外側面部分に対して、各々皮革をそのまま被せて接着剤等にて接着させた構成に造られているため、皮革の肌色（光沢）や肌触り、或いは、毛並等に不揃いが生じてしまって、頗る不自然であると共に、一般的な接着剤を用いた皮革の接着に付いては、プラスチック製、若しくは、スチール製のフレーム及び左右のつると、皮革との間の接着が非常に難しくて、特別な接着剤を用いて余程確りと接着しない限り、日々の繰り返しの使用、或いは、左右のつるの繰り返しの開閉動作、更には、着用時に付着する汗等が原因で、苦労して折角接着した皮革が簡単に剥離してしまったり、接着した皮革に皺が生じてしまうと云った、各種問題の発生が多く見られていた。加えて、眼鏡として造られた立体物としてのフレームに対して、薄く漉き加工された皮革とはいえ、これを隙間無く均一に張り合わせることは非常に困難であるため、眼鏡として均一な品質の維持、管理が難しいといった問題もあって、その結果、皮革製眼鏡の普及の低迷と、商品価値の低下を招いてしまう要因に成っていた。
【０００５】
加えて、これ等皮革の肌色や毛並み等を全て均一に揃えるには、頗る煩雑で、且つ、熟練した技術を必要とするため、更なる商品単価の高騰を招いてしまうという、経済的な問題も有していた。
【０００６】
そこで、本発明の技術的課題は、眼鏡のフレームとつるの外側面を構成する皮革の模様や肌色、或いは、毛並みといった形態、並びに、色調等を、頗る簡単な作業によって全て均一に、而も、自然な状態に整えて成形することが出来て、見た目が皮革製であると云う共通項以外は、全ての点で従来製品よりも数段優れた審美性と耐久性とを備えると共に、眼鏡レンズを嵌め込んだ左右のレンズ支持枠や、左右のつるの角度調節といった、眼鏡自身が備えている各種の調整機能を、利用者自らが極めて簡単に、且つ、確実に実行出来るように工夫した、画期的な眼鏡用フレームを提供することである。
【課題を解決するための手段】
【０００７】
（１）  上記の技術的課題を解決するために、本発明の請求項１に係る眼鏡用フレームは、左右の眼鏡レンズを各々嵌め込んで支持するための嵌込穴が設けられた左右一対のレンズ支持枠と、これ等左右のレンズ支持枠に各々連設された左右のつるとが、一枚の金属板より成形された屈曲自在で、且つ、その屈曲状態を自己保持可能に構成された金属薄板製眼鏡芯材と、当該金属薄板製眼鏡芯材に対して、各部が相似形状に形成された表裏複数枚の天然の皮革製カバー体とによって構成されていて、
中間に前記金属薄板製眼鏡芯材を挟み込んだ状態にて、前記表裏複数枚の皮革製カバー体を、当該芯材の表裏両面側を覆う様に夫々皮革同士を一体的に貼り合わせ、又は、縫い合わせることによって、前記左右のレンズ支持枠と左右のつるとから成る金属薄板製眼鏡芯材の表裏の全面を、外側からは見えない様に、前記天然の皮革製カバー体によって、表裏両側より挟み込んだ状態に被覆して成ることを特徴としている。
【０００８】
（２）  また、本発明の請求項２に係る眼鏡用フレームは、前記表裏複数枚の皮革製カバー体の夫々が、薄く漉き加工された天然の皮革を、複数枚重ねて互いに接着、若しくは、縫着させて成る複層構造に造られていることを特徴としている。
【０００９】
（３）  また、本発明の請求項３に係る眼鏡用フレームは、前記金属薄板製眼鏡芯材を被覆するための天然の皮革として、タンニン鞣しや白鞣し、或いは、クローム鞣しと云った、各種鞣し処理の内の、何れかの鞣し処理が施された皮革が用いられていることを特徴としている。
【００１０】
（４）  また、本発明の請求項４に係る眼鏡用フレームは、前記天然の皮革として、サメ革、牛革、鹿革、ワニ革、ヘビ革、或いは、オーストリッチといった各種動物類の皮革の内の、何れかの皮革が使用されていることを特徴としている。
【００１１】
（５）  また、本発明の請求項５に係る眼鏡用フレームは、前記左右の眼鏡レンズを嵌め込んで保持するために、前記左右のレンズ支持枠に設けた前記左右の嵌込穴の内周縁部分に、天然樹脂を塗り固めて形成したレンズ保持用の保持縁が設けられていることを特徴としている。  
【００１２】
（６）  また、本発明の請求項６に係る眼鏡用フレームは、前記表裏複数枚の皮革製カバー体を貼り合わせるための接着剤、並びに、当該皮革製カバー体自身を構成するために、薄く漉き加工した天然の皮革を重ねて接着するための接着剤として、漆や膠といった接着剤を含む、天然の各種接着剤が使用されていることを特徴としている。
【００１３】
（７）  更に、本発明の請求項７に係る眼鏡用フレームは、前記左右のつるの、前記眼鏡フレーム体に近接した左右の根元近くに、左右のつる自身を、各々皮革製カバー体に対して自由に屈曲及び伸縮操作することを可能にする、断面略Ｕ字形状を成す屈曲部を設けると共に、前記表裏の皮革体の間に介在されている前記金属薄板製眼鏡芯材の部分を、これ等両屈曲部の内部に於いて夫々分断せしめたことを特徴としている。
【００１４】
上記（１）で述べた請求項１に係る眼鏡用フレームによれば、眼鏡フレームを構成する金属薄板製眼鏡芯材の全体が、外側からは見えない様に全て皮革製カバーによって覆われているため、眼鏡フレーム自身が恰も動物の皮革で造られているが如き、極めて斬新で趣向性の高い印象を生じさせることができると共に、加えて、左右のレンズ支持枠と左右のつるを自由に屈曲調整でき、この屈曲調整したこれ等左右のレンズ支持枠並びに左右のつるの形態を、屈曲調整した状態のまま、中間に挟み込んだ上記の金属薄板製眼鏡芯材が自己保持することができるため、眼鏡の形態やレンズ、或いは、左右のつるの角度や幅等の調整を、常に使用に適した状態に調節して、これを維持することができ、且つ、その変更作業（調整作業）も手作業にて極めて簡単に、而も、適格に実現することができるといった、利便性と機能性に富んだ作用、効果を発揮することを可能にしている。
【００１５】
また、上記（２）で述べた本発明の請求項２に係る手段によれば、眼鏡自身の芯材となる金属薄板製眼鏡芯材を鋏み込んだ状態に接着される、表裏複数枚の皮革製カバー体が、夫々薄く漉き加工した天然の皮革を、複数枚重ねて接着した複層構造に造られているため、眼鏡全体として軽くて手軽に使用できる特徴を備えていると共に、丈夫で長期間の繰り返しの使用、即ち、反復したつるの開閉動作を可能にする、優れた堅牢性を備えた特長を発揮することを可能にする。
【００１６】
また、上記（３）で述べた本発明の請求項３に係る手段によれば、金属薄板製眼鏡芯材を被覆するための皮革として、タンニン鞣しや白鞣し、或いは、クローム鞣しといった各種の鞣し処理の内の、いずれかの鞣し処理が施された皮革、即ち、薄く而も軟らかく処理された天然の皮革が使用されているため、眼鏡レンズを除く眼鏡の全体が皮革で覆われて頗る豪華であるにも拘わらず、レンズ支持枠を含むフレームの全体や、つるの角度調節や開閉作動等の各種操作を、一般の眼鏡と同様に、支障なく反復して実現可能にした丈夫な眼鏡を提供出来ると共に、肌に近い部分で使用する眼鏡の芯材をカバーする手段として、肌に対する影響が比較的少ないとされる、タンニン鞣しや白鞣し、或いは、クローム鞣しといった、何れかの鞣し処理を施した皮革が使用されるため、眼鏡を安全に利用することを可能にする。
【００１７】
また、上記（４）で述べた本発明の請求項４に係る手段によれば、皮革として例えば、サメ革、牛革、鹿革、ワニ皮、ヘビ革、或いは、オーストリッチといった各種動物類のものが使用可能であるため、ファッション性に優れた意匠的価値の高い眼鏡を提供できると共に、眼鏡のフレームに装着された皮革の色や模様、或いは、皮革の種類等を選ぶことにより、被着する衣類の色や模様等とコーディネートさせることも可能にしている。
【００１８】
また、上記（５）と（６）で述べた本発明の請求項５と６に係る各手段によれば、眼鏡のレンズを保持するための保持縁として、天然樹脂製のものが使用され、また、表裏複数枚の皮革製カバー体を貼り合わせる接着剤として、漆や膠といった天然の接着剤や、その他、この天然の接着剤に類する各種の植物性、或いは、各種動物性の接着剤が使用されているため、顔に近い位置で使用する眼鏡を、化学的な薬剤等の使用に起因する皮膚病等を発症することなく、安全に、且つ、衛生的に利用することを可能にする。
【００１９】
更に、上記（７）で述べた本発明の請求項７に係る手段によれば、左右のつるの根元近くに断面略Ｕ字状を成す屈曲部が設けられ、而も、この屈曲部の内部に於いて、金属薄板製眼鏡芯材が一部破断されているため、左右のつるの伸縮調整や、屈曲操作等を、当該屈曲部に於いて極めて柔らかく、且つ、円滑に行うことができるものであって、従って、眼鏡を掛けたり外したりする動作、並びに、つるを折り畳んだり開いたりする動作を、当該眼鏡のフレームと左右のつるとの連結部分に負担を掛けることなく、支障なく、而も、円滑に行うことを可能とする。
【発明の効果】
【００２０】
以上述べた次第で、本発明に係る眼鏡用フレームによれば、眼鏡の左右のつるを含むフレームの全体が、外側からは直接見えないように、全て動物の皮革、即ち、天然の皮革によって被覆されているため、フレームやつるの全体をスチールやプラスチック、或いは、べっ甲等を用いて造っていた従来の一般的な眼鏡に比較して、極めて趣好的で、審美性に富んだ豪華な印象を発揮することができるものであって、眼鏡フレーム自身の自己保持も確実で、フレームや左右のつるの調節を簡単に、且つ、確実に行える点、並びに、皮革を接着するための接着剤として、漆や膠といった天然の接着剤を用いているため、化学的な薬剤の使用に起因する皮膚病等の発症を未然に防止できる点、更には、左右のつるの屈曲調節、即ち、開閉調節を、金属製薄板製眼鏡芯材の一部を分断することによって容易に行えるようにすることにより、眼鏡の使用開始時と使用後に行うつるの開閉操作を、よりスムーズに行うことができるといった、極めて利便性と機能性に富んだ作用、効果を発揮できるものであって、フレームやつる、並びに、皮革、更には金属薄板製眼鏡芯材の成形や象りと云った、フレーム全体を造る各作業を、全てプレス機等を用いて比較的簡単に、且つ、安価に製造することができる経済性を有する点、更には、全体を頗る軽量に造れる点と相俟って、旅行用や運動用、或いは、各種の特殊作業用等に利用して、極めて好適なものである。
【図面の簡単な説明】
【００２１】
【図１】本発明の実施例に係る眼鏡用フレームを用いて構成した眼鏡の斜視図。
【図２】本発明の他の実施例に係る眼鏡用フレームを用いて構成した眼鏡の斜視図。
【図３】本発明のその他の実施例に係る眼鏡用フレームを用いて構成した眼鏡の斜視図。
【図４】本発明に係る眼鏡の全体を分解して示した斜視図。
【図５】図１のＡ−Ａ線に沿った拡大断面図。
【図６】図１のＢ−Ｂ線に沿った拡大断面図。
【図７】図２に示した本発明に係る眼鏡のつるの部分を拡大した平断面図。
【図８】天然の皮革から眼鏡カバー体を切り出す状態を示した説明図。
【図９】金属薄板製眼鏡芯材の形成状態を示した説明図。
【発明を実施するための形態】
【００２２】
以下に本発明に係る眼鏡用フレームの実施の形態を図面と共に説明すると、図１乃至図４において、夫々符号１にて全体的に示したのは、本発明に係る眼鏡フレームであって、この眼鏡フレーム１の全体は、図４の分解図に示す如く、例えば、チタンやステンレス、或いは、アルミニュームといった各種の金属板から、工作機械類等を用いて成形された金属薄板製眼鏡芯材１０と、この眼鏡芯材１０の表裏両面側から、当該芯材１０を挟んだ状態で、且つ、全体を包む様にして一体に接着、又は、縫い着される、例えば、サメ革、牛革、鹿革、ワニ革、ヘビ革、或いは、オーストリッチといった各種動物類の皮革の内の、何れかの皮革を用いて成る表裏の皮革製カバー体１Ｘ及び１Ｙとによって構成されていて、外見が表裏の皮革製カバー体１Ｘ，１Ｙによってカバーされた状態に構成されている眼鏡フレーム１自身の形態は、内部に挟み込まれた状態に介在させた上記の金属薄板製眼鏡芯材１０によって、自己保持されている。
【００２３】
更に具体的な構成例を図面と共に説明すると、前記金属薄板製眼鏡芯材１０は、中央のブリッジによって連設された左右の眼鏡レンズ６Ａ，６Ｂ（図４では省略）を嵌め込んだ左右のレンズ支持枠１１Ａ，１１Ｂと、これ等左右のレンズ支持枠１１Ａ，１１Ｂの外側縁に連設された左右のつる１１Ｃ，１１Ｄとによって、全体が眼鏡の骨格を成す形状に構成されており、また、表と裏の皮革製カバー体１Ｘと１Ｙは、いずれも上述した金属薄板製眼鏡芯材１０よりも、全体がひと回り大きな相似形状を成していて、これ等表と裏のカバー体１Ｘ，１Ｙを、当該芯材１０の全体を表裏両側から挟み込む様にして接着剤にて接合するか、又は、縫い合わせることによって、金属薄板製眼鏡芯材１０の全体を、外側からは直接見えないように、表裏両側より皮革にて挟み込んだ状態、即ち、くるみ込んだ状態に仕上げるように構成されている。
【００２４】
尚、上述した表と裏の各カバー体１Ｘと１Ｙは、いずれも上述した如く、上記金属薄板製眼鏡芯材１０よりも若干大きな相似形状に形成されていて、表裏のカバー体１Ｘ，１Ｙの夫々には、各フレーム部２Ｘ，３Ｘ、並びに、２Ｙ，３Ｙの各々に、前記金属薄板製眼鏡芯材１０のレンズ支持枠１１Ａ，１１Ｂ内に嵌め込んだ眼鏡レンズ６Ａ，６Ｂに対応させて、図４に示す如く透視穴２Ａ，３Ａ、並びに、２Ａ’，３Ａ’が開口形成されている。また、上記金属薄板製眼鏡芯材１０の表裏外側面には、図示は省略したが、表と裏のカバー体１Ｘ，１Ｙの接着剤による接合をより確実に、且つ、強固に致すべく、予め糸を巻き付けておくことが行われているが、斯る金属薄板製眼鏡芯材１０への接合手段、並びに、方法は、任意とする。
【００２５】
図４に於いて、１１Ｅと１１Ｆは、前記金属薄板製眼鏡芯材１０に設けたノーズパッドで、前記表図のカバー体１Ｘには、これ等のノーズパッド１１Ｅ，１１Ｆを収納するための皮革製の袋７，８が、糸７ａ、８ａやその他の止め具や止め金等（図示省略）によって、夫々後着けにて縫着或いは固着されている。  
【００２６】
更に図４において、前述した表と裏のカバー体１Ｘと１Ｙの各々には、表裏２枚の薄く鞣した皮革１Ｘａと１Ｙａの内側に、形態保持用の皮革や、布地等で造った補強地１Ｘｂ、１Ｙｂを、各々接着剤等を用いて裏打ちして補強された構造に造られており、従って、これ等表裏のカバー体１Ｘ，１Ｙの補強地１Ｘｂ、１Ｙｂの間に、金属薄板製眼鏡芯材１０の各部を夫々くるみ込む、或いは、挟み込む様にして介在させて、両側より接着して成る本発明に係る眼鏡用フレーム１は、表裏いずれの方向から見ても、全体が皮革によって被覆されている形態、即ち、全体が皮革によって造られているが如き形態を呈する様に、また、左右のつる１１Ｃと１１Ｄを自由に開閉回動（折り畳み回動）出来るように、極めて趣好性が高く、且つ、実際の眼鏡（一般的な眼鏡）と同様に調整自在な構成に造られている。
【００２７】
図５は、図１のＡ−Ａ線に沿ったつる５の拡大断面図を示し、また、図６は同じく図１のＢ−Ｂ線に沿ったフレーム部３Ｘ（図４参照）の拡大断面図を示したものであって、図６に於いて、９は表裏カバー体１Ｘ，１Ｙ及び補強地１Ｘｂ、１Ｙｂに対して、貫通状態に穿孔された各透視穴２Ａ，２Ａ’と３Ａ，３Ａ’の内周縁に対して、夫々天然樹脂から成る樹脂材料を塗り固めることによって形成した保持縁であって、眼鏡レンズ６Ａ並びに６Ｂは、各々の外周縁をこれ等各保持縁９に嵌め込んで保持されている。
【００２８】
尚、図１乃至図３に於いて、符号ＶＳにて夫々示したのは、複数枚の皮革等を重ねることによって構成した各部位の端面を、各々カバーして成るカバー縁であるが、このカバー縁ＶＳを設けずに、各部位の端面をそのまま見えるように露出させてもよい。また、図３に於いて、符号ＴＸで示したのは、左右のつる４，５の間に設けた首掛け用紐体を示す。更に、図７に於いて符号Ｗで示したのは、左右のつる４，５の根元（連結部）に近い位置に設けた、前記屈曲部４Ｈ，５Ｈの内部に於いて、前記金属薄板製眼鏡芯材１０の一部分が破断されているその破断部を示したものであって、この破断部Ｗの存在によって、左右のつる４，５の開閉操作（開閉動作）、並びに、長手方向への伸縮操作（伸縮動作）を、夫々容易にに且つ円滑に行うことを可能にしている。
【００２９】
また、図８は裁断前の皮革地ＡＺから、本発明の素材となる皮革１Ｘａ，１Ｙａ、並びに、補強地１Ｘｂ、１Ｙｂを切り出している状態を説明した説明図、図９は例えばチタンやステンレスといった各種の金属板ＳＴから、左右のつる１１Ｃ，１１Ｄと、左右のレンズ支持枠１１Ａ，１１Ｂから成る前述した金属薄板製眼鏡芯材１０を打ち抜き形成している状態と、この打ち抜いた芯材１０に比較して、前記表裏２枚の皮革１Ｘａ，１Ｙａ及び補強地１Ｘｂ、１Ｙｂの夫々が、一回りサイズを大きく形成している点を明らかにした説明図であって、従って、前述した金属薄板製眼鏡芯材１０は、これを中間に挟んだ状態で表と裏のカバー体１Ｘと１Ｙを接合すると、完全に表と裏のカバー体１Ｘ，１Ｙの中に挟み込まれた（くるみ込まれた）状態に成って、外側からは見えない仕組みに成っている。
【符号の説明】
【００３０】
１        眼鏡フレーム
１Ｘ，１Ｙ      表と裏の皮革製カバー体
２Ｘ，２Ｙ，３Ｘ，３Ｙ        フレーム部
５，６      つる
６Ａ，６Ｂ      眼鏡レンズ
１０      金属薄板製眼鏡芯材
１１Ａ，１１Ｂ      レンズ支持枠
１１Ｃ，１１Ｄ      つる  
【図１】
2016184014.tif 000003
【図２】
2016184014.tif 000004
【図３】
2016184014.tif 000005
【図４】
2016184014.tif 000006
【図５】
2016184014.tif 000007
【図６】
2016184014.tif 000008
【図７】
2016184014.tif 000009
【図８】
2016184014.tif 000010
【図９】
2016184014.tif 000011